(57)【要約】【課題】本発明の課題は、その表示具が付いているだけで予め決められた所定の注意喚起を行うどの方向にも外れる心配が無く、嵌め込みが簡単な嵌込具を提供することである。【解決手段】本発明の光コネクタ嵌込表示具は、プラグ（差込側）又はそれに繋がるスリットブーツに押しつけにより嵌め込む取り付け具であり、長さ方向に開口した開口部のサイズが、取付けられるプラグ又はスリットブーツの断面径より小さく開口してせり出し部を備え、押し付け嵌め込みにより開き、嵌め込んだ状態では、せり出し部がプラグ又はスリットブーツを支持する形で、嵌め込み方向への抜けをなくし、更に、プラグの指がかかる凹み部又はスリットブーツのスリットの凹み部に嵌る突起を光コネクタ嵌込表示具の内面に有することで光ファイバが伸びる方向には外れないようにしたことを特徴とする。【選択図】図１
2014071397.tif 000002
【特許請求の範囲】
【請求項１】
光ファイバ又は光ケーブルを接続する光コネクタのプラグの指で摘む摘み部又は前記プラグから光ファイバ又は光ケーブルの緩やかな曲がりを可能とするように導出しスリットを有するスリットブーツに嵌め込み取り付けることで予め決められたことを作業者に注意喚起する矩形管形状又は円管形状の管であり、前記管の側壁に長さ方向に貫通して備えた開口部を備え、前記管の内寸法は、前記摘み部又は前記スリットブーツの面を覆うように、前記摘み部又は前記スリットブーツの断面寸法より大きめであり、
前記開口部を形成する前記管の両側壁が内側にせり出したせり出し部を備えたことで、前記二つのせり出し部の間が前記開口部を形成し、前記開口部は、前記摘み部又は前記スリットブーツの断面外寸法より小さな寸法であり、前記管の壁の内面には、前記摘み部の凹み又はスリットブーツ上に備わったスリットによる凹みに嵌る突起部を有することで、上下左右と前記光ファイバ又は前記光ケーブルの長さ方向に外れないようにしたことを特徴とする光コネクタ嵌込表示具。
【請求項２】
取付けた状態で、前記摘み部又は前記スリットブーツの上側の面との間に間隙が生ずるように前記上側壁を上に曲げて構成し、指で押し下げることで凹み曲がることで開口部が広がるように左右に開き、押し動作を止めると復元して開口部が縮小することを特徴とする請求項１記載の光コネクタ嵌込表示具。
【請求項３】
前記管形状を複層構造にし、適度な押し圧で前記摘み部又は前記スリットブーツに前記管の内側層が接触するようにクッション層を備えたことを特徴とする請求項１又は請求項２記載の光コネクタ嵌込表示具。
【請求項４】
前記管に表示のための札をつける札付設具を備えたことを特徴とする請求項１から請求項３のいずれか１つに記載の光コネクタ嵌込表示具。
【請求項５】
前記管に色、文字、マークの少なくとも１つの注意喚起を補助する表示手段を備えたことを特徴とする請求項１から請求項４のいずれか１つに記載の光コネクタ嵌込表示具。
【発明の詳細な説明】
【技術分野】
【０００１】
本発明は、光コネクタに嵌め込み取り付ける表示具に関するものである。
【背景技術】
【０００２】
光コネクタは、多数集合されて設置されている場合に、個々のコネクタに対する属性を表示し区別したい場合がある。図５には、従来提案された光コネクタのハウジングに取り付ける表示具を示している。５−Ａは、特許文献１に提案されたもので、属性を書き込む表示札が巻込器の中に入っていて表示したい場合に引き出して使うものである。５−Ｂは、特許文献２に提案されたもので、表示札が折りたたまれて備えられているものである。両者とも、属性が沢山あって記述したい場合には便利であるが、ここまで必要でない場合には余分なものである。５−Ｃは、特許文献３に提案されたもので、光ケーブルではないが、同軸ケーブル（電気）に取付ける銘板である。円形断面の同軸ケーブルに合わせて、Ｃの字型の断面形状を持っていて、取付けることができる。
３者の例とも、取り付け部分は、ひっかかり部を有する断面Ｕ字構造又はＣ字構造により、嵌め込み方向に対してはずれないが、光ファイバが伸びる方向に対しては、ひっかかり手段が無いために、その方向にはズレて外れやすい欠点を持っている。
【先行技術文献】
【特許文献】
【０００３】
【特許文献１】特開２００８−１６４８２９
【特許文献２】特開２００９−１６８８３８
【特許文献３】実開Ｈ０４−１２６６１９
【発明の概要】
【発明が解決しようとする課題】
【０００４】
本発明の課題は、光コネクタの属性の表示のうち、記述を要することでなく、その表示具が付いているだけで「そのコネクタは外していけない」等の予め決められた事項を表し、注意喚起する場合には、特許文献１のものは、過剰な手段となる。このような単純な用途に使う簡単な構成でしかもどの方向にも外れる心配が無く、嵌め込みが簡単な嵌込具を提供することである。
【課題を解決するための手段】
【０００５】
本発明の光コネクタ嵌込表示具は、光コネクタのハウジングのうち、プラグ（差込側）又はそれに繋がるスリットブーツに押しつけにより嵌め込む取り付け具であり、断面が円形の管の一部又は矩形の管の一片の中央部が、取付けられるプラグ又はスリットブーツの断面径より小さく開口した構成により、押し付け嵌め込みにより開き、嵌め込んだ状態では、プラグ又はスリットブーツを包み込む形で、嵌め込み方向への抜けをなくし、更に、プラグ又は、スリットブーツ自体が元々備えた凹み部、すなわち、プラグの指がかかる凹み部又はスリットブーツのスリットの凹み部に嵌る突起を内面に有することで光ファイバが伸びる方向には外れないようにし、取り付けることで予め決められた「約束注意事項」を知らしめるものである。
【０００６】
請求項１記載の発明は、光コネクタ嵌込表示具であって、
光ファイバ又は光ケーブルを接続する光コネクタのプラグの指で摘む摘み部又は前記プラグから光ファイバ又は光ケーブルの緩やかな曲がりを可能とするように導出しスリットを有するスリットブーツに嵌め込み取り付けることで予め決められたことを作業者に注意喚起する矩形管形状又は円管形状の管であり、前記管の側壁に長さ方向に貫通して備えた開口部を備え、前記管の内寸法は、前記摘み部又は前記スリットブーツの面を覆うように、前記摘み部又は前記スリットブーツの断面寸法より大きめであり、
前記開口部を形成する前記管の両側壁が内側にせり出したせり出し部を備えたことで、前記二つのせり出し部の間が前記開口部を形成し、前記開口部は、前記摘み部又は前記スリットブーツの断面外寸法より小さな寸法であり、前記管の壁の内面には、前記摘み部の凹み又はスリットブーツ上に備わったスリットによる凹みに嵌る突起部を有することで、上下左右と前記光ファイバ又は前記光ケーブルの長さ方向に外れないようにしたことを特徴とする。
【０００７】
請求項２記載の発明は、請求項１記載の光コネクタ嵌込表示具において、
取付けた状態で、前記摘み部又は前記スリットブーツの上側の面との間に間隙が生ずるように前記上側壁を上に曲げて構成し、指で押し下げることで凹み曲がることで開口部が広がるように左右に開き、押し動作を止めると復元して開口部が縮小することを特徴とする。
【０００８】
請求項３記載の発明は、請求項１又は請求項２記載の光コネクタ嵌込表示具において、
前記管形状を複層構造にし、適度な押し圧で前記摘み部又は前記スリットブーツに前記管の内側層が接触するようにクッション層を備えたことを特徴とする。
【０００９】
請求項４記載の発明は、請求項１から請求項３のいずれか１つに記載の光コネクタ嵌込表示具において、前記管に表示のための札をつける札付設具を備えたことを特徴とする。
【００１０】
請求項５記載の発明は、請求項１から請求項４のいずれか１つに記載の光コネクタ嵌込表示具において、前記管に色、文字、マークの少なくとも１つの注意喚起を補助する表示手段を備えたことを特徴とする。
【発明の効果】
【００１１】
以上のように構成されているので、本発明の光コネクタ嵌込表示具では、プラグ（差込側）又はそれに繋がるスリットブーツに簡単に取り付けることができて、取付けにより「取り外し禁止のコネクタ」である等の注意喚起ができる。又、どの方向にもズレて外れることは無く、安定した使用ができる。
【図面の簡単な説明】
【００１２】
【図１】本発明の光コネクタ嵌込表示具の一実施態様を示す図である。
【図２】本発明の光コネクタ嵌込表示具の別の一実施態様を示す図である。
【図３】本発明の光コネクタ嵌込表示具の嵌め込み、取り外しを容易にする開口部開き手段を備えた光コネクタ嵌込表示具の一実施例を示す。
【図４】光コネクタを示す図である。
【図５】従来の光コネクタ表示具を示す図である。
【発明を実施するための形態】
【００１３】
本発明による光コネクタ嵌込表示具は、
光ファイバ又は光ケーブルを接続する光コネクタのプラグの指で摘む摘み部又はプラグから光ファイバ又は光ケーブルの緩やかな曲がりを可能とするように導出しスリットを有するスリットブーツに嵌め込み取り付けることで予め決められたことを作業者に注意喚起する矩形管形状又は円管形状の管であり、管の側壁に長さ方向に貫通して備えた開口部を備え、管の内寸法は、摘み部又はスリットブーツの面を覆うように、摘み部又はスリットブーツの断面寸法より大きめであり、
開口部を形成する管の両側壁が内側にせり出したせり出し部を備えたことで、二つのせり出し部の間が開口部を形成し、開口部は、摘み部又はスリットブーツの断面外寸法より小さな寸法であり、管の壁の内面には、摘み部の凹み又はスリットブーツ上に備わったスリットによる凹みに嵌る突起部を有することで、上下左右と光ファイバ又は光ケーブルの長さ方向に外れないようにしたものである。
【００１４】
図４は、光コネクタを示す図であり、一般に使用されている。４−Ａにおいて、プラグ（差込）４１０は、接続アダプタ４２０の差し込み口４２１に差し込むことで、固定され、光ファイバ４１１内の光が通過できるようになる。プラグ（差込）４１０の上面には、ガイド突起４１２があって、これは、嵌め込んだ場合には、接続アダプタ４２０のガイド溝４２２に嵌るようになっている。プラグ４１０内の光ファイバ４１１は、プラグ４１０内とそれに続くスリットブーツ４１３内を通り、保護被覆のある光ケーブル４１４として外部に配線される。接続する場所では、このようなコネクタが多数並んで設置されている。プラグ４１０は、指で摘む摘み部４１５には複数の線状の凹凸を有していて、更に指がかかる部分が凹み４１６なるように後方部が突き出している。スリットブーツ４１３は、固定されたプラグ４１０に対して光ケーブル４１４の曲がりを鋭角にならないように保持するために、曲がりやすくする多数の凹んだスリット４１７が付いている。４−Ｂには、接続アダプタ４２０にプラグ４１０が差し込まれた状態を示している。
【００１５】
図１は、本発明の光コネクタ嵌込表示具の一実施態様を示す図である。１−Ａには、光コネクタ嵌込表示具１００の１個を示している。これは、１−Ｃに示すように、光コネクタのプラグ４１０の摘み部４１５にかぶるように付設される。光コネクタ嵌込表示具１００は、プラグ４１０の摘み部４１５にかぶせることができるように、断面が矩形の管１０１において１辺の側のみ長さ方向全体にわたり開口部１０２を有し、１辺全体のうち辺の中央部側が開口し、他の辺に近い側が開口しないでせり出し部１０３を有することで、開口部１０２を有する辺の反対側の辺となる面を押すことで曲がり、開口部１０２が広がってプラグ４１０の摘み部４１５の下端を越えて嵌りこみ、せり出し部１０３が摘み部４１５の下にせりだして光コネクタ嵌込表示具１００は押し込んだ方向には抜けなくなる。一方、平面Ｐで切った断面でみた光コネクタ嵌込表示具の断面形状は、１−Ｂのようなっていて、上下の二つの辺は、厚みが一定のものではなくて、中央側が突起部（膨らんだ）１０４を有している。又は、厚みが一定でも湾曲して突起部１０４を形成している。
光コネクタ嵌込表示具１００がプラグ４１０の摘み部４１５にかぶった状態が１−Ｄに示される。ここで見るように、プラグ４１０の摘み部４１５に突起部１０４が嵌って、光コネクタ嵌込表示具１００の長さの方向（光ケーブルの伸びる方向）には、抜けなくなりズレて外れることがない。１−Ｅには、札などをつけるための札付設具１０５を備えたものである。札付設具１０５はここに示すリング形状のもの以外フックなど多くの形態が可能である。尚、１−Ｆに示すように、光コネクタ嵌込表示具１００の先端をブーツ４１３に被るほど長くすることも可能である。１−Ｇにはその斜視図を示している。
【００１６】
図２は、本発明の光コネクタ嵌込表示具の別の一実施態様を示す図である。２−Ａには、光コネクタ嵌込表示具２００の１個を示している。これは、２−Ｄに示すように、光コネクタのプラグ４１０のスリットブーツ４１３にかぶるように付設される。光コネクタ嵌込表示具２００は、スリットブーツ４１３にかぶせることができるように、スリットブーツの断面と同じく、断面が円形の管２０１において一端の側のみ長さ方向全体にわたり開口部２０２を有し、開口部２０２の開いた寸法は、スリットブーツ４１３の径よりわずかに小さくしてある。この部分が、せり出し部２０３を構成している。
光コネクタ嵌込表示具２００をスリットブーツ４１３上において、押し付けると光コネクタ嵌込表示具２００は曲がって、開口部２０２が開き、せり出し部２０３がスリットブーツ４１３に取り付き抜けなくなる。２−Ｂと２−Ｃには、切断面Ｓで切ったときの光コネクタ嵌込表示具２００の断面を示している。光コネクタ嵌込表示具２００の内壁には、スリット４１７に嵌る突起部２０４が付いている。ここでは、スリット４１７の間隔にあわせて多数の突起部２０４を設けているが、１個でも嵌れば長さ方向にはずれないので、複数個が必須ではない。２−Ｂでは、壁の構造内にスポンジなどの柔軟なクッション構造２０６を備えることでスリットブーツ４１３に光コネクタ嵌込表示具２００が密着するようにしたものである。２−Ｃでは、そのような手段を持たないものである。
尚、２−Ｅには、札付設具２０５を備えたものを示している。
【００１７】
図３は、本発明の光コネクタ嵌込表示具の嵌め込み、取り外しを容易にする開口部開き手段を備えた光コネクタ嵌込表示具の一実施例を示す。長手方向から見た断面で示されている。３−Ａは、１−Ａに示すものであり、これに開口部開き手段を設けたものが３−Ｂになっている。同様に３−Ｅは、２−Ａに示すものであり、これに開口部開き手段を設けたものが３−Ｆになっている。３−Ａと３−Ｅのものは、プラグ４１０の摘み部４１５又はスリットブーツ４１３に取り付けた場合には、上側の壁がこれらの被取付対象３１０にほぼ接触する。然しながら、３−Ｂと３−Ｆのものは、上側の壁が更に上側に曲がって盛り上がり、そのため、壁とこれらの被取付対象３１０との間に間隙３２０ができる。３−Ｃと３−Ｇにはこのような状態を示す。間隙３２０があるために、矢印のように指で押し下げることができて、そのことで、開口部１０２、２０２は、押されたときに被取付対象物３１０の寸法より大きく開き、押すことを止めると復元して開口部は小さく閉じる。
従って、取り付けの場合は、指で押して挿入し放すことで、開口部が閉じて取り付けがおこなわれ、取り外しの場合は、指で押しながら、全体を摘んで持ち上げることで容易に外すことが可能である。尚、間隙３２０の大きさは、分かりやすいように、図では大きく描いたが、曲がるように押せればよいので、図ほどは大きくする必要はない。
【００１８】
以上のような光コネクタ嵌込表示具は、多数並んで設置された光コネクタに取り付けることで、取り付けられたものは、「取り外し禁止」など予め現場で決められた注意喚起に使用できる。尚、光コネクタ嵌込表示具に色をつけたり、文字やマークをいれることも可能である。
【産業上の利用可能性】
【００１９】
以上のように構成されているため、本発明の光コネクタ嵌込表示具は、既設の多数の光コネクタに簡単に取り付けることが可能で、作業者に所定の注意喚起を行えるので、作業ミスの削減に好都合であるので、産業上利用性が極めて大きい。
【符号の説明】
【００２０】
１００、２００  光コネクタ嵌込表示具
１０１  矩形の管
１０２、２０２  開口部
１０３、２０３  せり出し部
１０４、２０４  突起部
１０５、２０５  札付設具
２０１  円形の管
２０６  クッション構造
３１０  被取付対象
３２０  間隙
４１０  プラグ
４１１  光ファイバ
４１２  ガイド突起
４１３  スリットブーツ
４１４  光ケーブル
４１５  摘み部
４１６  凹み
４１７  スリット
４２０  接続アダプタ
４２１  差し込み口
４２２  ガイド溝
【図１】
2014071397.tif 000003
【図２】
2014071397.tif 000004
【図３】
2014071397.tif 000005
【図４】
2014071397.tif 000006
【図５】
2014071397.tif 000007